Podtech/llm-jp-corpus-v4-ja_patent huggingface dataset:
(57)【要約】【課題】  本考案は段差解消マットの敷幅面（強力な磁石を埋め込み敷鉄板に吸着さす面）に敷鉄板を乗せることで敷鉄板とマットが一体化し、路面と敷鉄板にできる段差を解消する。【解決手段】  本考案はマット天板１に敷幅面２（敷鉄板が乗る箇所）を設け、その面に強力な磁石３をいくつか埋め込み、出幅上部６ａから出幅下部６ｂに緩やかな下り勾配を設け左右に滑り止めとして４の山形の凸部をいくつか形成し、底板１ａに水を逃がす水切の溝５を設け、底板全体にマットのずれを防ぐ格子状の滑り止め７を形成している。敷幅面２に敷鉄板を乗せることにより強力な磁石で敷鉄板にマットが吸着し敷鉄板と一体化することにより、段差を解消することになる。【選択図】図１
0003128102.tif 000002
【実用新案登録請求の範囲】
【請求項１】
塩化ビニールよりなるマットであって、断面形状が略直角三角形で、路面と敷鉄板の段差部位に敷きこめるように敷幅面を形成してなる段差解消マット。
【請求項２】
塩化ビニールよりなるマットであって、敷幅面に敷鉄板を吸着さす強力な磁石をいくつか埋め込み形成してなる段差解消マット。
【請求項３】
塩化ビニールよりなるマットであって、天板の左右方向に滑り止めとして小さな山形の凸をいくつか形成し、出幅方向に緩やかな下り勾配を形成してなる段差解消マット。
【請求項４】
塩化ビニールよりなるマットであつて、底板には水切の溝と底板全体に格子状の滑り止めを設け形成してなる段差解消マット。
【考案の詳細な説明】
【技術分野】
【０００１】  本考案は、土木工事などに使用している敷鉄板と路面の段差部位を解消することができる段差解消マットに関するものである。
【背景技術】
【０００２】  従来、土木工事の現場においては、路面を掘削した溝に構造物を施工する段階において作業を一旦中断する時、安全対策としてその溝に敷鉄板をかぶせる。路面と敷鉄板の段差部位を解消する時は、舗装表層材を敷き段差を解消するのが通例である。
【考案の開示】
【考案が解決しようとする課題】
【０００３】  従来の工法は、舗装表層材を路面と敷鉄板の段差部位に敷き解消していたが、車両が敷鉄板の上を通過するとき振動で舗装表層材が飛び散り、舗装表層材が減ると敷鉄板と路面に段差ができ車両が通過するたび敷鉄板が上下し大きな音が生じる。それを防ぐためには再々舖装表層材を敷き直すことになり、作業現場の汚れなど作業環境上からも問題がある。又、従来の段差解消マットは路面と敷鉄板の段差部位に敷きこむように形成はしているが、車両が敷鉄板の上を通過するとき振動でマットが外れる欠点がある。本考案が解決しようとする課題は、路面と敷鉄板の段差部位に差し込むマットの敷幅面に強力な磁石をいくつか埋め込んだことで敷鉄板にマットを吸着さすことができ敷鉄板と一体化することにより前述の欠点を解決しようとするものである。
【課題を解決するための手段】
【０００４】  塩化ビニールよりなるマットであって、断面形状が略直角三角形で、路面と敷鉄板の段差部位に敷きこめるように敷幅面を形成し、敷幅面に敷鉄板を吸着さす強力な磁石をいくつか埋め込み、天板の左右方向に滑り止めとして小さな山形の凸部をいくつか形成し出幅方向に緩やかな下り勾配をとり、底板には水切の溝と底板全体に格子状の滑り止めを設け、強力な磁石で敷鉄板にマットを吸着し敷鉄板と一体化することにより問題点を解決している。
【考案の効果】
【０００５】  本考案の段差解消マットは、路面と敷鉄板の段差部位に容易に差し込むことができ敷鉄板をマットに乗せることにより強力な磁石で吸着し、敷鉄板とマットが一体化するので手間がいらずに路面と敷鉄板にできた段差部位を解消し効果的である。
【考案を実施するための最良の形態】
【０００６】  土木工事の現場においては、路面を掘削した溝に構造物を施工する段階において作業を一旦中断する時、安全対策としてその溝に敷鉄板をかぶせるが路面と敷鉄板にどうしても段差が生じる。その段差を解消するには本考案の段差解消マットの敷幅面（強力な磁石を埋め込み敷鉄板に吸着さす面）を敷鉄板と路面の段差部位に差し込み、敷鉄板を乗せることにより敷鉄板とマットが一体化し、手間がいらずに段差を解消することができる。
【実施例】
【０００７】  以下、添付図面に従って一実施例を説明する。１は段差解消マットの天板全体であり２は敷鉄板を乗せるマットの敷幅面で強力な磁石３をいくつか埋め込んでいる。その２を敷鉄板と路面の段差部位に差し込み敷鉄板を乗せることにより、強力な磁石で敷鉄板にマットが吸着し敷鉄板と一体化する。【０００８】  １は段差解消マットの天板全体であり、マットの出幅上部６から６ａは水平で６ａからマットの出幅下部６ｂに緩やかな下り勾配を設け、車両のタイヤがスリップしないように滑り止めとして４の山形の凸部をいくつか形成し車両がスムーズに通行できるようにしている。【０００９】  １ａは段差解消マットの底板全体であり、底板は水平であって掘削した溝にできるだけ雨水等が入らないように水を逃がす水切の溝５を形成し、マットのずれを防ぐため底板全体に格子状の滑り止めとして７を形成している。
【図面の簡単な説明】
【００１０】
【図１】本考案の段差解消マットの天板斜視図である。
【図２】本マットの底板斜視図である。
【図３】本マットの断面図である。
【符号の説明】
【００１１】１    段差解消マットの天板
１ａ  段差解消マットの底板
２    敷鉄板を乗せる敷幅面
３    強力な磁石
４    滑り止めとして山形の凸部
５    水切の溝
６    マットの出幅上部
６ａ  マットの出幅上部
６ｂ  マットの出幅下部
７    格子状の滑り止め
【図１】
0003128102.tif 000003
【図２】
0003128102.tif 000004
【図３】
0003128102.tif 000005
(57)【要約】【課題】  現状の引き戸の取っ手部分が細くて短い形状の物が多く、取付け位置も決まっている為、すべての人にとって開閉しやすい形状ではないという部分の解消等。【解決手段】  扉の上端部分３から下端部分４までの取っ手となる彫り込み部分１が上から下にかけて段々と深く彫り込んである事により、足での開閉も可能にした。また、ソリッド構造により扉の強度も確保した。子供からお年寄り、障害がある方など、より多くの人が使い易い扉の形状によりこの課題を解決する。【選択図】図１
0003128109.tif 000002
【実用新案登録請求の範囲】
【請求項１】
足でも開閉出来る様にした、扉の取っ手となる彫り込み部分の形状と、その形状を維持しつつ強度を確保する為の桐無垢材を使用したソリッド構造のユニバーサルデザイン引き戸。
【考案の詳細な説明】
【技術分野】
【０００１】  本考案は引き戸を開閉する為の扉に関する。
【背景技術】
【０００２】  従来の引き戸では取っ手部分の幅、高さが小さく又、位置が決まっていた。
【考案の開示】
【考案が解決しようとする課題】
【０００３】  しかし、これでは車椅子使用時や手に荷物を持っている場合、手や体が不自由又は障害がある場合は扉の開閉が困難である。
【課題を解決するための手段】
【０００４】  そこで、より多くの人にとって使い易い様に、扉の取っ手となる彫り込み部分の形状と、その形状の維持しつつ強度を確保する為の桐無垢材を使用したソリッド構造のユニバーサルデザイン引き戸を考案した。
【考案の効果】
【０００５】  よって、本考案のユニバーサルデザイン引き戸により、足での開閉も可能になり、様々な状況において開閉し易くなった。また、強度を確保する為に使用した桐の復元力という性質により耐久性の高いものとなった。
【考案を実施するための最良の形態】
【０００６】  本考案に係るユニバーサルデザイン引き戸は図１のように取っ手となる彫り込み部分１の彫り込み深さが上端から下端にかけて深くなっている。
そして、扉の両面に同じ形状の彫り込みが設けられている。
彫り込みの幅２は足での使用を考慮して７０ｍｍを確保し、深さについては上端部分３で１ｍｍ、下端部分４が２４ｍｍとなるような勾配をつけ、扉の端部まで  彫り込む。勾配の傾斜角度については、扉の製作高さにより決定する。
両面の彫り込み位置に関してはお互いの間５を強度の確保の為１５ｍｍとする。
彫り込みの位置は取っ手側の端６から強度の確保の為２０ｍｍあけた位置とする。
扉の厚み７は３６ｍｍとし、幅と高さはその都度対応するものとする。
材質は扉がソリッド構造となる為、比重の最も軽い桐が望ましい。さらに桐には耐久性がある為、長年の使用が可能となる。
【図面の簡単な説明】
【０００７】
【図１】  本考案に係るユニバーサルデザイン引き戸の正面図である。
【図２】  本考案に係るユニバーサルデザイン引き戸の断面図である。
【符号の説明】
【０００８】    Ａ    図面２の断面位置と方向
１    取っ手となる彫り込み部分
２    彫り込みの幅
３    彫り込みの上端部分
４    彫り込みの下端部分
５    お互いの彫り込みの間
６    取っ手側の端
７    扉の厚み
【図１】
0003128109.tif 000003
【図２】
0003128109.tif 000004
(57)【要約】      （修正有）【課題】従来のサーフボード等は、デッキパッチ（滑り止め）をはりつけてしまうと移動ができなかった。【解決手段】サーフボード１等にデッキパッチを取り付ける前に、面ファスナー又はマルチロック２などで先にはりつけて、脱着ができるようにして、交換、移動をできるようにする。【選択図】図１
0003120209.tif 000002
【実用新案登録請求の範囲】
【請求項１】
今までは固定されていたサーフボード、ウインドサーフィンなどのスポーツにおける滑り止めの着脱が自由にできその時の波のじょうたいにより自分で好きな場所に移動ができる。
【請求項２】
着脱がかんたんにできる。
【請求項３】
波に応じて自由に移動できる。
【請求項４】
前後左右に移動ができる。
【請求項５】
消もうしてきたら取かえがかんたんにできる。
【請求項６】
好きな色や形にも自由に交換できる。
【考案の詳細な説明】
【技術分野】
【０００１】本発明はサーフボード、ウインドサーフィンなどのスポーツ関連に関する。
〔技術背景〕【０００２】従来はサーフボードなどに固定されていたものを自由に脱着できるようにする。【０００３】消もうしてきたらすぐに交換ができる。
〔発明の開示〕
〔発明が解決しようとする課題〕【０００４】従来は固定されていたが、波のじょうたいにより自由に移動ができる。【０００５】着脱がかんたんにできる。
〔課題を解決するための手段〕【０００６】サーフボード等図１の▲１▼にマジックテープ又はマルチロックなどをはりつけ、デッキパッチにも同じようにはりつける。交換、脱着が自由にできる。【０００７】デッキパッチなどの滑り止めに固定したものや今現在販売しているマジックテープ又はマルチロックなどにデッキパッチの大きさにあわせるかそれ以上の物にしてはりつける。【０００８】大きさにより着脱がスムーズにできる。【０００９】デッキパッチ本体ウラ側にマジックテープ又はマルチロックを固定する。
【図１】
0003120209.tif 000003
【図２】
0003120209.tif 000004
【図３】
0003120209.tif 000005
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
〔書類名〕実用新案登録請求の範囲〔請求項１〕今までは固定されていたサーフボード、ウインドサーフィンなどのスポーツにおける滑り止めの着脱がマジックテープ又は、マルチロックの取り外しにより、自由にでき、その時の波の状態により、自分で好きな場所に移動ができるシステム〔請求項２〕着脱がかんたんにできるシステム〔請求項３〕波に応じて自由に移動できるシステム〔請求項４〕前後左右に移動ができるシステム〔請求項５〕消もうしてきたら取かえがかんたんにできるシステム〔請求項６〕好きな色や形にも自由に交換できるシステム【手続補正２】
【補正対象書類名】明細書
【補正対象項目名】全文
【補正方法】変更
【補正の内容】
〔書類名〕明細書〔考案の名称〕サーフボードやウインドサーフィン、スポーツ関連などの滑り止めの着脱可能なシステム。〔技術分野〕〔０００１〕本発明はサーフボード、ウインドサーフィンなどスポーツ関連に関する〔技術背景〕〔０００２〕従来はサーフボードなどに固定されていたものを自由に脱着できるようにする。〔０００３〕消もうしてきたらすぐに交換ができる。〔考案の開示〕〔考案が解決しようとする課題〕〔０００４〕従来は固定されていたが波のじょうたいにより自由に移動ができる。〔０００５〕着脱がかんたんにできる。〔課題を解決するための手段〕〔０００６〕サーフボード等にマジックテープ又は、マルチロックなどをはりつけ、デッキパッチにも同じようにはりつける、交換、脱着が自由にできる。〔０００７〕デッキパッチなどの滑り止めに固定したものや今現在販売しているマジックテープ又は、マルチロックなどにデッキパッチの大きさにあわせるかそれ以上の物にしてはりつける。〔０００８〕大きさにより着脱がスムーズにできる。〔０００９〕デッキパッチ本体・ウラ側にマジックテープ又はマルチロックを固定する。〔図面の簡単な説明〕〔００１０〕〔図１〕サーフボード、又はウインドサーフィンボード〔図２〕マジックテープ又は、マルチロック部分の裏表部分。〔図３〕デッキパッチの（うら）のり面部分。〔符号の説明〕〔００１１〕１．  サーフボード、又はウインドサーフィンボード等。２．  マジックテープ又は、マルチロックなど、（ボード側部）３．  マジックテープ又はマルチロックなど、（デッキパッチ側部）４．  デッキパッチ（滑り止め側部）５．  デッキパッチのマジックテープ又はマルチロック部分が付く面６．  マジックテープ又はマルチロックの表側部分【手続補正書】
【提出日】平成17年11月30日(2005.11.30)
【手続補正１】
【補正対象書類名】実用新案登録請求の範囲
【補正対象項目名】全文
【補正方法】変更
【補正の内容】
【実用新案登録請求の範囲】
【請求項１】
今までは固定されていたサーフボード、ウインドサーフィンなどのスポーツにおける滑り止めの着脱が面ファスナー又は、マルチロックの取り外しにより自由になおかつかんたんに着脱ができ、その時の波の状態により前後、左右、自由に自分で好きな場所に移動ができ着脱がかんたんにできるので消もうしてきたら取り替がかんたんにできたり、好きな色や形にも自由に交換できる、という構造を有する、波乗り板である．
【手続補正２】
【補正対象書類名】明細書
【補正対象項目名】全文
【補正方法】変更
【補正の内容】
【考案の詳細な説明】
【技術分野】
【０００１】本発明はサーフボード、ウインドサーフィンなどスポーツ関連に関する．
【技術背景】
【０００２】従来はサーフボードなどに固定されていたものを自由に脱着できるようにする．
【０００３】消もうしてきたらすぐに交換ができる．
【考案の開示】
【考案が解決しようとする課題】
【０００４】従来は固定されていたが波の状態により自由に移動ができる．【０００５】着脱がかんたんにできる．
【課題を解決するための手段】
【０００６】サーフボード等に面ファスナー又は、マルチロックなどをはりつけデッキパッチにも同じようにはりつける、交換、脱着が自由にできる．【０００７】デッキパッチなどの滑り止めに固定したものや今現在販売している面ファスナー又はマルチロックなどにデッキパッチの大きさにあわせるか、それ以上の物にしてはりつける．【０００８】大きさにより着脱がスムーズにできる．【０００９】デッキパッチ本体ウラ側に面ファスナー又はマルチロックを固定する．
【図面の簡単な説明】
【００１０】
【図１】サーフボード又はウィンドサーフィンボード
【図２】面ファスナー又はマルチロック部分の裏表部分
【図３】デッキパッチの（うら）のり面部分
【符号の説明】
【００１１】１．サーフボード又はウィンドサーフボード等
２．面ファスナー又はマルチロックなど．（ボード側部）
３．面ファスナー又はマルチロックなど．（デッキパッチ側部）
４．デッキパッチ（滑り止め側部）
５．デッキパッチの面ファスナー又は、マルチロック部分が付く面
６．面ファスナー又は、マルチロックの表側部分．
(57)【要約】      （修正有）【課題】紙屑やゴミなどを収容する円形又は多角形状などのゴミ入れ容器にポリエチレン製のポリ袋を押しこみ内装し、設置した時に被せる化粧カバーを提供する。【解決手段】ポリ袋５が外にはみ出したゴミ入れ容器４の上方から化粧カバー１を被せて遮蔽し、室内を調和のとれた景観にし調度品になるようにした。【選択図】図１
0003120255.tif 000002
【実用新案登録請求の範囲】
【請求項１】
円形又は多角形状の化粧カバー１の上部に同芯円形の投入口２を形成し、その裏側に凹凸状の突起３を投入口２の中心から半径方向に配設した屑物入れ容器用化粧カバー。
【考案の詳細な説明】
【技術分野】
【０００１】本考案は紙屑やゴミなどを収容する円形又は多角形状などのゴミ入れ容器にポリエチレン製のポリ袋を押しこみ内装し、設置した時に被せる化粧カバーに関するものである。
【背景技術】
【０００２】従来、カバーを使用するゴミ箱は色々なものがあるが、例えばゴミ箱本体と差し込み式カバーにそれぞれ凹凸状の段落を設け、カバーをかぶせることによりゴミ箱からはみ出た部分を押えるなどが知られている。
【考案の開示】
【考案が解決しようとする課題】
【０００３】上記のように凹凸状の段落を設けるなど構造的に複雑であり使い難い。本考案はそれらの欠点を除去し、単純な構造にして、安価で使い易いものを提供することを課題とした。
【課題を解決するための手段】
【０００４】上記の課題に対して、本考案は、化粧カバーを円形又は多角形筒型に形成し、上部中心にゴミを投入する投入口を同芯円形に形成する。【０００５】さらに投入口の裏側の円周部分に、ポリ袋の移動を押えるズレ止め防止のための凹凸状の突起を配設する。
【考案の効果】
【０００６】本考案の化粧カバーは市販のゴミ入れ容器に丁度よく嵌合するように出来ている。【０００７】ゴミ入れ容器にポリ袋を内装した場合、ポリ袋の上端部が容器の外側にはみ出し見苦しく部屋の景観を損なう故に化粧カバーを被せて遮蔽すれば室内と調和のとれた置物になる。【０００８】ゴミ入れ容器に内装したポリ袋は化粧カバーの自重とその裏側に配設した凹凸状の突起が押えるためにズレ難いなどの特徴を有する。
【考案を実施するための最良の形態】
【０００９】以下、実施形態を図面と共に説明する。
先ず図１に示すように円形の化粧カバー１の上部にゴミを捨てる投入口２を同芯円形に形成した。但し、多角形の場合も実施形態は同じである。【００１０】凹凸状突起３は投入口２の中心から半径方向に適宜に配設し形成した。【００１１】化粧カバー１の大きさは市販のゴミ入れ容器４の外径に対し、若干のクリアランスを有する外径にし、長手方向の長さは適宜の長さに形成するものとする。【００１２】ゴミ入れ容器に使用するポリ袋５はスーパーなどで買物をした時に渡される通称、レジ袋を使用する。
【実施例】
【００１３】本考案の実施例を図面に基づいて説明する。
図１に示すように市販のゴミ入れ容器４にポリ袋５を押しこんで内装し、上端は外に垂らし、その上に化粧カバー１を上方から被せる。
【図面の簡単な説明】
【００１４】
【図１】  本考案の実施例を示す正面断面図。
【図２】  化粧カバー１の正面図。
【図３】  化粧カバー１の平面図。
【符号の説明】
【００１５】  １  化粧カバー
２  投入口
３  凹凸状突起
４  ゴミ入れ容器
５  ポリ袋
【図１】
0003120255.tif 000003
【図２】
0003120255.tif 000004
【図３】
0003120255.tif 000005
(57)【要約】      （修正有）【課題】木材２１の乾燥を早めるために、背割れ２２の内部を切るシャフト１を提供する。【解決手段】シャフト１は、丸ノコ１１の平面部１３に対して垂直である。シャフト１の中心点２と、丸ノコ１１の中心点１２は一致する。丸ノコ１１ａ、１１ｂ・・・１１ｎが２以上の場合、丸ノコ１１ａ、１１ｂ・・・１１ｎはそれぞれ平行である。【選択図】図２
0003120251.tif 000002
【実用新案登録請求の範囲】
【請求項１】
下記の要件を特徴とする、１以上の丸ノコ１１を取り付けた、木材２１の背割れ２２の内部を切るシャフト１。
（イ）シャフト１は、丸ノコ１１の平面部１３に対して垂直である。
（ロ）シャフト１の中心点２と、丸ノコ１１の中心点１２は一致する。
（ハ）丸ノコ１１ａ、１１ｂ・・・１１ｎが２以上の場合、丸ノコ１１ａ、１１ｂ・・・１１ｎはそれぞれ平行である。
【考案の詳細な説明】
【技術分野】
【０００１】  この考案は、木材２１の乾燥を早めるために、背割れの内部を切るシャフト１に関するものである。
【背景技術】
【０００２】  丸ノコギリを以下「丸ノコ」という。
木材２１の割れを防ぐ方法の一つに、丸ノコ１１で木材２１の一部に背割れ２２を設ける。
【考案の開示】
【考案が解決しようとする課題】
【０００３】  これには、次のような欠点があった。
丸ノコで木材２１の一部を刻んで背割れを設けるが、木材２１の強度を維持するために、背割れ２２を大きくできない。
このため、背割れ２２部の空気に接する面積が小さくなり、木材２１内部の乾燥が早くならず、木材２１に割れを生じてしまうことがある。
【課題を解決するための手段】
【０００４】  そこで、背割れ２２部の空気に接する面積を大きくするため、背割れ２２部にさらに刻み２３を設けることを考えた。
この刻み２３を設ける道具が本考案であり、次のようなものである。
下記の要件を特徴とする、１以上の丸ノコ１１を取り付けた、木材２１の背割れ２２の内部を切るシャフト１である。
（イ）シャフト１は、丸ノコ１１の平面部１３に対して垂直である。
（ロ）シャフト１の中心点２と、丸ノコ１１の中心点１２は一致する。
（ハ）丸ノコ１１ａ、１１ｂ・・・１１ｎが２以上の場合、丸ノコ１１ａ、１１ｂ・・・１１ｎはそれぞれ平行である。
【考案の効果】
【０００５】  本考案により、次の効果を生む。
本考案を使用して背割れ２２部にさらに刻み２３を設けることができるので、背割れ２２部の空気に接する面積が大きくなり、木材２１内部の乾燥が早くでき、木材２１の割れを少なくできる。
【考案を実施するための最良の形態】
【０００６】  以下、本考案を実施するための最良の形態を説明する。
本考案は、下記の要件を特徴とする、１以上の丸ノコ１１を取り付けた、木材２１の背割れ２２の内部を切るシャフト１である。
まず、シャフト１は、丸ノコ１１の平面部１３に対して垂直に取り付ける。次に、シャフト１の中心点２と、丸ノコ１１の中心点１２を一致させる。丸ノコが複数あるときは、それぞれを平行になるように取り付ける。
【実施例】
【０００７】  図１、図２は、シャフト１に丸ノコを３枚（１１ａ、１１ｂ、１１ｃ）設けたものである。木材２１の大きさにより、丸ノコの枚数は変化させてもよい。
【使用例】
【０００８】  本考案で背割れ２１内部に刻み２３を設けるには、図３で示すように、初めに木材２１に丸ノコ４１で背割れ２２を設け、その後、本考案を使用して背割れ２２内部に刻み２３を設けるとよい。
【図面の簡単な説明】
【００２０】  図１は、本考案の実施例を示す斜視図である。
図２は、本考案の実施例を示す側面図である。
図３は、本考案の使用例側面図である。
【符号の説明】
【００３０】  １  シャフト    ２  中心点
１１ａ  １１ｂ  １１ｃ・・・１１ｎ  丸ノコ    １２  中心点    １３  平面部
２１  木材    ２２  背割れ    ２３  刻み
３１  作業台
４１  丸ノコ
【図１】
0003120251.tif 000003
【図２】
0003120251.tif 000004
【図３】
0003120251.tif 000005
(57)【要約】      （修正有）【課題】難しい接ぎ木作業を容易にし、短時間で作業をする。【解決手段】鋏み状の工具に、Ｖ字の刃物とゴム板を取り付けることにより、茎を鋏んで押さえるだけで、同じ角度のＶ字カットが出来る為、この課題を解決出来る。【選択図】図１
0003120256.tif 000002
【実用新案登録請求の範囲】
【請求項１】
植物の接ぎ木作業の際に、茎をカットをする為の、Ｖ字状の刃物を備えた鋏み状の工具。
【考案の詳細な説明】
【技術分野】
【０００１】  本考案は、接ぎ木にする為の茎をカットする、接ぎ木ハサミに関する。
【背景技術】
【０００２】  従来は、接ぎ木にする為の茎のカットは、専用の機械か、もしくは熟練者が剃刀等で行っていた。
【考案の開示】
【考案が解決しようとする課題】
【０００３】  しかし、専用の機械は高価であり、手作業で行うには時間を要する。
【課題を解決するための手段】
【０００４】  そこで、鋏み状の工具の、持ち手の反対側の、端の一方にＶ字の刃物を取り付け、もう一方にゴム板を張り付けた接ぎ木ハサミを考案した（図１）。この接ぎ木ハサミにより、鋏んで押さえるだけで、台茎をＶ字にカットし、上茎を逆Ｖ字にカットに出来る。切り口が同じ角度なので、台茎と上茎を合わせて固定することにより、接ぎ木にすることが出来る。
【考案の効果】
【０００５】  よって、本考案の接ぎ木ハサミによって、専用の機械がなくても、容易に短時間で接ぎ木作業が出来る。
【考案を実施するための最良の形態】
【０００６】  本考案に係る接ぎ木ハサミは、図１に示すように、鋏み状の工具の、持ち手の反対側の、端の一方にＶ字状の刃物、もう一方にゴム板を備えている。鋏み状の工具とＶ字状の刃物、ゴム板の大きさは、カットする植物によって決めればよい。
【図面の簡単な説明】
【０００７】
【図１】  鋏み状の工具の、持ち手の反対側の、端の一方にＶ字状の刃物、もう一方にゴム板を取り付けた所
【図２】  左側は刃物とゴム板部の平面図。右側は断面図。
【符号の説明】
【０００８】      １      Ｖ字刃物部分
２      刃物を押さえるゴム板
３      鋏み状の工具
【図１】
0003120256.tif 000003
【図２】
0003120256.tif 000004
(57)【要約】      （修正有）【課題】レモンを薄切りするなどの際、作業を安全に行うためのトングを提供する。【解決手段】レモンカット要のトングで、トング本体１の双方の先端部を内側へ直角に曲げ、更に前方へ直角に曲げてレモンを安定して挟持出来るようにし、レモンに接する前端部分には確実に挟持できるようにノコギリ状歯型を付けることで作業に習熟か否かを問わず安全に作業することに役立つ。【選択図】図１
0003120259.tif 000002
【実用新案登録請求の範囲】
【請求項１】
レモンを薄切りにするとき、レモンの形状に合わせて握り柄を湾曲させたトングを作り、その双方の先端を内側に曲げ、更にレモンを保持し易いようにその先端部がレモンに添うように曲げ、この前端の内側をノコギリの歯状に成型してレモンを容易に保持出来るようにした事を特徴とするレモンカット用トング。
【考案の詳細な説明】
【技術分野】
【０００１】  本考案は、レモンを薄切りにするとき、指を滑らせて包丁で傷つけたり、レモンが滑り落ちたりするのを防ぐために、トングの先端にレモンを安定して保持出来るように、トングの先端を内側に向けて直角に折り、その先端部にノコギリの歯状の突起を付け、これによって容易にレモンを固定し、安全にカットできるレモンカット用トングに関するものである。
【背景技術】
【０００２】  従来、レモンをスライスするときは、その形状から滑りやすいことを考えてそれなりの注意を払って、レモンを握って切っていたが、それでも時折指を傷つけたりすることも多かった。
【考案が解決しようとする課題】
【０００３】  レモンのスライスカットは、それなりに習熟してもともすると指などを怪我することがあって、大変危険な作業であるが、本考案はそのような危険性のある作業を排除して、作業の習熟と否とに関係なく、安全で簡単に作業をすることが可能になるため、上述の欠点を解決しようとするものである。
【課題を解決するための手段】
【０００４】  本考案は、通常のトングをレモンの形状に合わせて中ほどにふくらみを持たせ、先端部をほぼ直角に内側に曲げ、更にレモンをしっかり保持出来るように先端にレモンの保持面を作り、その前端をノコギリの歯状に成型し、レモンをどの位置からでも容易に固定して保持し、安全にカットすることができるようにすることで解決している。
【考案の実施するための最良の形態】
【０００５】  トング本体の形状は、レモンを挟持しやすいように内側に湾曲させ、挟持部はそれぞれ内側に向けて直角に曲げ、更に前方に向けてレモンに添うように直角に曲げ、先端部にはレモンを固定して挟持するためにノコギリ状の歯型を付け、その歯型の部分も、トングの双方の柄の先端がかみ合うように、向き合わせることによってレモンの挟持が安定して容易となる。
【実施例】
【０００６】  以下、添付図面に従って一実施例を説明すれば、１は弾性のあるステンレス等の金属板で成型加工したトングの本体、２は挟持部先端のノコギリ状歯型、３は挟持部である。
【産業上の利用可能性】
【０００７】  本考案の一実施例は上記のような構成でなるもので、トングとしての機能がレモンのスライス作業を、習熟したと否とに拘わらず、容易に安全確実に行うことができるものとして役立つものであると同時にその工業生産も容易である。
【図面の簡単な説明】
【０００８】
【図１】  本考案の全体を示す斜視図である。
【符号の説明】
【０００９】  １  トングの本体
２  レモン挟持部先端のノコギリ状歯型
３  挟持部
【図１】
0003120259.tif 000003
(57)【要約】      （修正有）【課題】ネクタイの裏側に取りつけてあるループを利用した、従来のネクタイピン、クリップ等にかわる画期的なネクタイ止めを提供する。【解決手段】ネクタイを止める方法としては従来は、ネクタイピンネクタイクリップ等が一般的ですがこれらは比較的高価な上にあまりファッション性を考えていないものが多く、特にヤングビジネスマン達には敬遠されがちである。ある程度耐久性のある素材であれば特に素材に拘る必要もなく価格も安くむかえられ、ネクタイの裏側のループを活用するだけで裏表側には一切影響がないためおしゃれなビジネスマンにとっては新しいかくれたおしゃれアイテムとして役に立つ。【選択図】図１
0003120223.tif 000002
【実用新案登録請求の範囲】
【請求項１】
ネクタイの裏側に縫い付けてあるループに本体を通し上下にあるボタンホールにシャツのボタンをはめてセットする。こうすることにより従来ピンやクリップなどでとめていたネクタイを自然な状態で止める事が出来る。
【考案の詳細な説明】
【技術分野】
【０００１】本考案はファション性，実用性を兼ね備えた従来のネクタイピンや、クリップなどに変わる物です。
〔技術背景〕【０００２】従来、ネクタイを締めてネクタイが必要以上に動かなくするためには、ピン型やクリップ型のネクタイ止めを使用していました。
【考案が解決しょうとする課題】
【０００３】これらのネクタイ止めは比較的高価であったり、あまりファッション性にすぐれなかったりで特に若いビジネスマン達には敬遠され気味です。
ただしネクタイ止めを使用しないと強風時、食事や洗顔の時に前にたれて邪魔になってしまいます。
そこで、これらの煩わしいネクタイの動きを止めるものが本考案です。
〔考案の実施するための最良の形態〕
【０００４】本体は布または皮素材をベースに両端近くにボタンホール各１ケ開ける。
場合により本体どちらかのボタンホールを２ケ所に増やしこれによりシヤツのボタン位置やボタンの間隅の差異、またネクタイのループの位置の微妙な違いなどにも対応させることができる。
【図面の簡単な説明】
【０００５】
【図１】商品とめタイを上から見た時です。
【図２】商品とめタイを横から見た時です。
【図１】
0003120223.tif 000003
【図２】
0003120223.tif 000004
【手続補正書】
【提出日】平成17年11月28日(2005.11.28)
【手続補正１】
【補正対象書類名】実用新案登録請求の範囲
【補正対象項目名】全文
【補正方法】変更
【補正の内容】
【実用新案登録請求の範囲】
【請求項１】
ネクタイの裏側に縫い付けてあるループに本体を通し上下にあるボタンホールにシャツのボタンをはめてセットされ、ネクタイをシャツに固定させるネクタイ止め
(57)【要約】【課題】  可撓性にすぐれ、耐久性の高く、しかも有効発熱量に対する電気消費量の少ないヒーター電線を提供する。【解決手段】  ヒーター電線１は、炭素繊維（フィラメント）を複数線（２０，０００〜５０，０００）本束ねた内部導体２と、その内部導体２の表面に耐熱材（耐熱ビニール）の皮膜３を施したものである。ヒーター電線１は、ハンドルカバー、融雪マット、床暖房、融雪標識などに使用でき、汎用性にすぐれている。【選択図】  図１
0003120222.tif 000002
【実用新案登録請求の範囲】
【請求項１】
炭素繊維（フィラメント）を複数線（２０，０００〜５０，０００）本束ね表面に耐熱材（耐熱ビニール）で皮膜を施したヒーター電線。
【考案の詳細な説明】
【技術分野】
【０００１】  本考案は、炭素繊維（フィラメント）を複数線（２０，０００〜５０，０００）本束ね表面を耐熱材（耐熱ビニール）で皮膜を施したヒーター電線に関するものである。
【背景技術】
【０００２】  従来、ヒーター電線としてはニクロム線があり、また、炭素繊維の表面を耐熱樹脂で被覆したヒーター電線は、特開２００４−２２２５５公報または特開平６−１６８７７５号公報に紹介されている。【０００３】  しかし、ニクロム線や上掲の特開２００４−２２２５５公報または特開平６−１６８７７５号公報に紹介されているヒーター電線は、可撓性に欠け使用条件によっては耐久性に乏しいという欠点があった。
【特許文献１】  特開２００４−２２２５５公報
【特許文献２】  特開平６−１６８７７５号公報
【考案の開示】
【考案が解決しようとする課題】
【０００４】  そこで、本考案は、可撓性にすぐれ、耐久性の高く、しかも有効発熱量に対する電気消費量の少ないヒーター電線を提供することを目的とするものである。
【課題を解決するための手段】
【０００５】  本考案に係るヒーター電線は、炭素繊維（フィラメント）を複数線（２０，０００〜５０，０００）本束ね表面を耐熱材（耐熱ビニール）で皮膜を施したものであることを特徴とする。
【考案の効果】
【０００６】  本考案に係るヒーター電線は、従来にない炭素繊維（フィラメント）を複数線（２０，０００〜５０，０００）本束ねた内部導体とし表面に耐熱材（耐熱ビニール）で皮膜を施したものであるから、可撓性および耐熱性にすぐれ有効発熱量に対する電気消費量も少ない。
【考案を実施するための最良の形態】
【０００７】  図１に示すように、本考案に係るヒーター電線１は、炭素繊維（フィラメント）を複数線（２０，０００〜５０，０００）本束ねた内部導体２の表面に耐熱材（耐熱ビニール）の皮膜３を施したものである。したがって、可撓性にすぐれ、耐久性が高く、また有効発熱量に対する電気消費量を軽減することができるものである。【０００８】  本考案に係るヒーター電線１は、図２の写真のように、本考案に係るヒーター電線は、ハンドルカバー、融雪マット、床暖房、融雪標識などに使用できる。
【図面の簡単な説明】
【０００９】
【図１】  本考案に係るヒーター電線を示した図面代用写真である。
【図２】  本考案に係るヒーター電線の使用例を示した図面代用写真である。
【符号の説明】
【００１０】１  ヒーター電線
２  炭素繊維（フィラメント）複数線（２０，０００〜５０，０００）本束ねた内部導体
３  耐熱材（耐熱ビニール）の皮膜
【図１】
0003120222.tif 000003
【図２】
0003120222.tif 000004
【手続補正書】
【提出日】平成17年12月27日(2005.12.27)
【手続補正１】
【補正対象書類名】実用新案登録請求の範囲
【補正対象項目名】全文
【補正方法】変更
【補正の内容】
【実用新案登録請求の範囲】
【請求項１】
炭素繊維を２０，０００〜５０，０００本束ね表面に耐熱材で皮膜を施したヒーター電線。
(57)【要約】      （修正有）【課題】乳児への授乳は通常一定時間毎に与えるものだが授乳をするものが単に時間を見て暗記するか、メモをとるかの作業をしていたが、このため記憶していた時間を忘れたり、メモを紛失したりと乳児の授乳が不規則になり育児に悪影響を及ぼす恐れが生じていた。それを未然に防ぐもので、暗記や記憶による間違えを防ぎ、またメモをとる作業の煩わしさを省き、次回の授乳時間が把握できるようにする。【解決手段】哺乳瓶のキャップ本体に時計の時刻を表記させて、その上に指示表示付き上部円盤リング（時間）と下部に指示表示付き下部円盤リング（分）を重ねて回転させて授乳時間の時刻を上部円盤リングと下部円盤リングで表したもので授乳時間の正確な時間を把握した。【選択図】図１
0003120224.tif 000002
【実用新案登録請求の範囲】
【請求項１】
哺乳瓶のキャップに見やすい時間の目盛りを付けてその上に指示表示付き円盤型のリング（時間表示）を重ね、又、キャップの下部に指示表示付き円盤リング（分）を取り付け回転させて授乳時の時間を指し示すことで授乳時間の正確な時間と分を明確にするためのキャップである。
【請求項２】
市販で一般的に販売されている（直径４７ｍｍの哺乳瓶のキャップ）哺乳瓶のキャップを付け替えるだけのもので既存の哺乳瓶はそのまま使用できるので無駄がない。
【請求項３】
キャップの本体および、上部円盤リング、下部円盤リングの３つはすべてプラスチックでできており着脱可能で、洗浄、熱湯、薬品、電子レンジによる殺菌消毒可能なもので抵抗力のない乳児にも衛生的でよい。
【考案の詳細な説明】
【技術分野】
【０００１】本考案は哺乳瓶のキャップに見やすい時間の目盛りを付けてその上部と下部に回転する指示表示付き円盤リングを重ねて取り付け回転させることで授乳時間の正確な時間を明確にするためのキャップである。
【背景技術】
【０００２】今まで乳児に授乳するときはミルクを与えるものが授乳時間を時計を見て暗記するかメモをとるかの作業をして授乳時間を把握していた。
【考案の開示】
【考案が解決しようとする課題】
【０００３】乳児への授乳は通常一定時間毎に与えるものだが授乳をするものが単に時間を暗記をするかメモをとるかの作業をしていたが、このため記憶していた時間を忘れたり、メモを紛失したりと乳児の正確な授乳時間が不規則になり育児に悪影響を与える恐れが発生し、時間を表示しなければ授乳の間違いが起こるものであった。
【課題を解決するための手段】
【０００４】本考案は時間表示をしなければ乳児の正確な授乳時間が不規則になり育児に悪影響を与える恐れを未然に防ぐもので授乳時間の間違えが起こるような場合に使用するキャップである。
記憶による間違えを防ぎ次回の授乳時間の把握ができるように、またメモをとる作業の煩わしさを助けるためになおかつ乳児が飲み残したミルクを一定時間内ならば与えられるか処分するか否かの判断のための時間の目安にもなるように哺乳瓶のキャップに見やすい時刻を表示したものである。
【考案の効果】
【０００５】上述のように本考案の授乳時間目盛り付きキャップは、キャップの機能に時計の表示を持たせたものである。ただし、手動で自分で指示表示付き円盤リングを回転させて、授乳時間を間違いないように正確に把握したものであり、従来の哺乳瓶キャップにはまったくなかった機能である。他にこのキャップは市販で一般的に販売されている哺乳瓶のキャップ（直径４７ｍｍ）を付け替えるものなので既存の哺乳瓶はそのまま使用できるので無駄がない。
【考案を実施するための最良の形態】
【０００６】哺乳瓶のキャップ上に時計の目盛りを付けてその上に指示表示付き上部円盤リング（時間表示）を重ね今の時刻に合わせて右回りに回転させ、指示表示付き下部円盤リング（分）を左回しに回転させて、授乳時間の正確な時間と分を明確にした。
【実施例】
【０００７】以下、添付図面に従って一実施例を説明する。１はゴム製の乳首に３本体キャップは時間目盛り表示付キャップを装着させ、その上に、２指示表示付上部円盤リング（時間表示）を重ね今の時刻に合わせて右回りに回転させて、４指示表示付下部円盤リング（分）を左回しに回転させて、授乳時間の正確な時間と分を表したものである。５は２の指示表示付上部円盤リングの合わせ口である。
【産業上の利用可能性】
【０００８】めまぐるしく変わるこの昨今、母親だけでなく家族の誰でもが育児に参加できるように病院、施設等で育児に携わるもの誰でもが乳児に授乳する際に授乳時間を把握できるようにした。
【図面の簡単な説明】
【０００９】
【図１】本考案の授乳時間目盛付キャップの一実施例を示す正面図である。
【図２】授乳時間目盛付キャップ本体と指示表示付上部円盤リングと指示表示付下部円盤リングを解体したものである。
【符号の説明】
【００１０】１ゴム製の乳首
２指示表示付上部円盤リング（時間表示）
３本体キャップ（時間目盛り表示付キャップ）
４指示表示付下部円盤リング（分）
５指示表示付円盤リングの合わせ口
【図１】
0003120224.tif 000003
【図２】
0003120224.tif 000004
【手続補正書】
【提出日】平成17年12月9日(2005.12.9)
【手続補正１】
【補正対象書類名】実用新案登録請求の範囲
【補正対象項目名】全文
【補正方法】変更
【補正の内容】
【実用新案登録請求の範囲】
【請求項１】
哺乳瓶のキャップに見やすい時間の目盛りを付けてその上に時刻表示を行う指示表示付円盤リングを重ね、又、キャップの下部に分表示を行う指示表示付円盤リングを取り付け回転させて授乳時の時間を指し示すことで授乳時間の正確な時間と分を明確にするためのキャップ。
【請求項２】
哺乳瓶に対して、付け替え可能である形状を有する請求項１記載のキャップ。
【請求項３】
また、この見やすい時間の目盛りを付けたキャップの本体および指示表示付上部円盤リングと下部円盤リングの３つはすべてプラスチックでできており分解着脱可能で、洗浄、熱湯、薬品、電子レンジによる殺菌消毒可能なものであって抵抗力のない乳児にも衛生的であるという特徴をもつ請求項１記載のキャップ。
(57)【要約】      （修正有）【課題】  従来のランドリーバスケットは、中のものを取り出す際、１枚取り出すごとに腰や足を曲げては伸ばしの繰り返しで、身体に負担がかかっていたのでこれらの課題を解決する。【解決手段】  大小異なる２つの大きさのバスケット１２を組み合わせて使用することにより、重ねて収納、容易に持ち運ぶことができ、さらに、内側のバスケットを外側のバスケット２の上に積み重ねることによって、高さを作ることができるので、洗濯物等、中のものを楽な姿勢で取り出すことができるようにした。  また、固定用凸凹部を設けることにより、積み重ねたバスケットが、ずれ落ちるのを防ぎ、足踏み部５を利用することによって、取り外す際の作業をしやすくした。【選択図】図１
0003120229.tif 000002
【実用新案登録請求の範囲】
【請求項１】
大小２つの異なる大きさを組み合わせることにより成り立つ、１組のランドリーバスケット。
【請求項２】
内側のバスケットを外側のバスケットの上に積み重ねた際、ずれ落ちることを防ぐための、固定用凹凸部。
【請求項３】
凹凸部を利用して積み重ねた内側のバスケットを取り外す際、下側になった外側のバスケットもくっついて持ち上がってしまうことを防ぐための、足踏み部。
【考案の詳細な説明】
【技術分野】
【０００１】本考案は、ランドリーバスケットに関するもので、大小異なる２つの大きさのバスケットを組み合わせることにより、重ねて収納、持ち運ぶことができ、さらに、内側のバスケットを外側のバスケットの上に積み重ねることによって、高さを作ることができるので、洗濯物等、中のものを楽な姿勢で取り出すことができるようにしたものである。
【背景技術】
【０００２】従来は、１つのバスケットに洗濯物等を入れ、直接、そのバスケットを床や地面に置いていた。そのため、中に入った洗濯物を取り出す際は、一枚取り出すごとに、腰や足を曲げたり伸ばしたりの繰り返しで、身体に負担がかかっていた。
【考案の開示】
【考案が解決しようとする課題】
【０００３】従来のバスケットは、床や地面に置いて、中に入った洗濯物を一枚ずつ取り出していたので、そのたびに腰や足を曲げたり伸ばしたりの繰り返しになり、身体に負担がかかっていた。本考案は、これらの課題を解消するためになされたものである。
【課題を解決するための手段】
【０００４】請求項１の考案は、大小異なる２つの大きさのバスケットを積み重ねて使用することにより、高さを作ることができるようにした、ランドリーバスケットである。【０００５】また、請求項２の考案は、内側のバスケットを外側のバスケットの上に積み重ねる際、ずれ落ちることを防ぐための、固定用凹凸部である。【０００６】請求項３の考案は、固定用凹凸部を利用して積み重ねた内側のバスケットを取り外す際、下側になった外側のバスケットも、くっついて持ち上がってしまうことを防ぐための足踏み部である。
【考案の効果】
【０００７】本考案により、バスケットの中のものを取り出す際は、内側のバスケットを外側のバスケットの上に積み重ねることにより、高さを確保できるので、腰や足をかがめる必要がなく、楽な姿勢で、中のものを取り出すことができる。【０００８】さらに、大小異なる大きさのバスケットなので、二重に重ねて使用することにより、洗濯物を干す場所が洗濯機から離れた遠い場所にある時や、屋外に干す際も、容易に持ち運ぶことができる。【０００９】また、固定用凹凸部を利用して積み重ねることで、ずれ落ちることを防ぎ、足踏み部で押さえることにより、取り外す際の作業をしやすくした。
【考案を実施するための最良の形態】
【００１０】図２は、大小異なる大きさのバスケットのうち、内側になる小さい方のバスケットの立面図である。これには、外側のバスケットに積み重ねる際、持ちやすいように手持ち部を設けるのが望ましい。【００１１】図５は、大小異なる大きさのバスケットのうち、外側になる大きい方のバスケットの立面図である。これには、内側のバスケットを積み重ねた際、ずれ落ちることを防ぐための、固定用凹凸部を設け、さらにこのかみ合いを解除する時に、くっついて持ち上がってしまうことを防ぐための足踏み部を底外周片に突き出して設ける。
【図面の簡単な説明】
【００１２】
【図１】大小のバスケットを凹凸部で固定して積み重ねた時の立面図である。
【図２】大小のバスケットの内側になる小さいバスケットの立面図である。
【図３】図２の上面図である。
【図４】図２の側面図である。
【図５】大小のバスケットの外側になる大きいバスケットの立面図である。
【図６】図５の上面図である。
【図７】図５の側面図である。
【符号の説明】
【００１３】      １  内側のランドリーバスケット
２  外側のランドリーバスケット
３  手持ち部
４  固定用凹凸部
５  足踏み部
【図１】
0003120229.tif 000003
【図２】
0003120229.tif 000004
【図３】
0003120229.tif 000005
【図４】
0003120229.tif 000006
【図５】
0003120229.tif 000007
【図６】
0003120229.tif 000008
【図７】
0003120229.tif 000009
【手続補正書】
【提出日】平成17年12月19日(2005.12.19)
【手続補正１】
【補正対象書類名】実用新案登録請求の範囲
【補正対象項目名】全文
【補正方法】変更
【補正の内容】
【実用新案登録請求の範囲】
【請求項１】
大きさの異なる大小のバスケットを二重に重ね得るようにし、なおかつ、内側のバスケットを外側のバスケットの上に積み上げる際の固定用凹凸部を外側バスケットの上部に設け、さらに、このかみ合いを解除する時に固定するための足踏み部を外側のバスケットの底外周片に設けたことを特徴とする、１組のランドリーバスケット。
(57)【要約】【課題】  簡易な道路工事において、道路上で車輌等の通行規制及び解除をする場合に時間の節約及び、通行車輌に、わかりやすい進行方向を指し示す。【解決手段】  カラーコーン上部（２）に穴をあけ、取付具（３）で方向指示具（４）を可動可能な状態に取りつけ、取付具（３）を支点にして方向指示具（４）を任意の方向に回す事によって、通行車輌に進行方向を明確に指し示す事が出来る。【選択図】  図１
0003120228.tif 000002
【実用新案登録請求の範囲】
【請求項１】
カラーコーン上部（２）に可動可能な方向指示具（４）を取りつけたことを特徴とするカラーコーン。
【請求項２】
方向指示具（４）が湾曲していることを特徴とする方向指示具付きカラーコーン。
【考案の詳細な説明】
【考案の詳細な説明】
【技術分野】
【０００１】  本実用新案は、方向指示具付きカラーコーンに関するものである。
【背景技術】
【０００２】  従来、道路工事等で道路を規制する場合に、簡易な工事でも大きな重い矢印のついた方向指示板を数枚おき、その前後にカラーコーンを設置して、車輌等を規制していた。
【考案が解決しようとする課題】
【０００３】  これまでは、簡易な道路の補修工事であっても、道路を規制するために大きな矢印板を数枚おき、その前後にカラーコーンを配置してから工事を行なっていたが、設置するのに時間がかかったり、又工事終了後、格納するのにも重ばる難点があった。
【０００４】  本実用新案は、上記問題を解決するために、短時間に道路の規制及び解除を行うことが出来ること目的とする。
【課題を解決するための手段】
【０００５】  上記目的を達成するために、本実用新案の方向指示具付きカラーコーンは、カラーコーン上部（２）に穴をあけ湾曲した方向指示具（４）を、取付具（３）で密着して取りつける。
【実施例】
【０００６】  図１において、カラーコーン上部（２）に可動可能な状態で、密着して取りつけてある方向指示具（４）を取付具（３）を支点にして矢印方向に回転させることにより通行車輌等に進行方向を指し示す事ができる。又、図４において、左右に方向指示具を取りつけることによって、双方向に進行方向を指し示す事もできる。
【考案の効果】
【０００７】  従来、道路の工事等では、道路の規制を行なったり、解除したりするのに相当数の時間を必要としたが、方向指示具を取りつけたカラーコーンを使用することによって、工事時間も短縮でき、又、方向指示具は、容易に動かすことが出来る為、通行車輌に対して進行方向をきめ細かく指し示す事が可能になり、工事中における規制ミスによる通行車輌の事故を減少させることが出来る。
【図面の簡単な説明】
【図１】実施例を示した斜視図である。
【図２】上面図である。
【図３】実施状態を示した上面図である。
【図４】左右に方向指示具（４）を取りつけた実施状態の側面図である。
【図５】方向指示具（４）と取付具（３）を一体化した後部からの斜視図である。
【図６】図５を取りつけた上面図である。
【符号の説明】
１  カラーコーン基部
２  カラーコーン上部
３  取付具
４  方向指示具
【図１】
0003120228.tif 000003
【図２】
0003120228.tif 000004
【図３】
0003120228.tif 000005
【図４】
0003120228.tif 000006
【図５】
0003120228.tif 000007
【図６】
0003120228.tif 000008
(57)【要約】      （修正有）【課題】テニスの練習時に多量のボールを使用した後に、素早く沢山のボールを回収し、ボール籠にあつめる。【解決手段】ネットをとりつけた強化プラスチック性の箱型ケースを前に滑らせ、点在するボールを３列に開けた溝１の上を通過させる。そして後方のネット３に収納する。収納後はネットを上にして、ボール籠にまとめて入れる。【選択図】図１
0003120226.tif 000002
【実用新案登録請求の範囲】
【請求項１】
テニスボールケースと収納ネット
箱型ケースに３カ所一定の幅と長さのボール通過溝を開け、底面にネットへ通じる穴を開けた。ボール収納ネットは外側より着脱できる止め具でケースに取り付けた。ケースの上面には握りやすい溝をつけて前後に動かせるハントを取り付けた。
【請求項２】
携帯テニスボール運搬具
ケースのハンドル部分を除いてボール落下と、水濡れの防止カバーを全体に覆った、これにより携帯ボールの運搬具としても利用できる。
【考案の詳細な説明】
【技術分野】
【０００１】本発明はテニスボールをまとめて収集したり、運ぶ器具に関するものである。
【背景技術】
【０００２】この発明は今日まで考案されていないものである。
【考案の開示】
【考案が解決しようとする課題】
【０００３】今まで散在していたボールはテニスラケットに載せ、集めていたため、個数に限度があり、時間もかかっていた。この考案が、解決しようとする課題は早く沢山のボールを収集することにある。
【課題を解決するための手段】
【０００４】ケースに３つの取り入れ口を一定の幅や長さに開けることで、ボールをスムースに取り込むことが、可能となる。
【考案の効果】
【０００５】手で一つ一つ拾ってラケットに載せていた時と違い、３列にボールをケースに短時間で挿入し、ネットに移動させ、１５〜２０個まとめて、ボール籠に入れることが、可能になる。
【考案を実施するための最良の形態】
【０００６】材質は強化プラスチック、図面のサイズにあわせカットし、ボールが通過し易くする為、３カ所の取り込み口をつくる、ボールの収納ネットはケースの後ろ側に、着脱できるように止め具をつける。それによりネット破損の時、交換可能となる。
ハンドル部分は握りやすいようにネジ状の溝をつくり、ボールを収集する時と運ぶ時縦横に動かせるようにする。
【産業上の利用可能性】
【０００７】これまで一つ一つボールをラケット上に拾い集めて、労力と時間を、要した場合に比べ、少人数で、早く収集でき、次のプレイに移れる。【０００８】これまではボールをカバンや袋に入れていたが、このケースにより、ボールの収集と運搬を兼ねる事が出来る。コート外での携帯の際は防水パックで包む。
【図面の簡単な説明】
【０００９】
【図１】・・・ボール収集ケースと後面の収納ネット部分である。
【図２】・・・ケースを立ててボール取り込み口を前面から見た状態である。
【図３】・・・ケースに防水カバーを着けた全体図。
【符号の説明】
【００１０】１  ボール取り入れ口３箇所の通過溝をもつケースで、溝の幅や奥行きは一定の長さとしている。
２  ケース底面に穴をあけ収納ネットへボールを通過させる。
３  ネットはケース外側から底を覆って止め具でとめる。
収納可能なボールの数は１５〜２０個となる。一杯になったら籠にその都度あける。
４  ハンドル部分は持ち上げると、本器具が縦になり、ボールを２０個迄いれてケースを運搬できる。
５  ケースは防水カバーにより全体を包みボールが落下しないよう止具又はマジックテープで上蓋を止める。
【図１】
0003120226.tif 000003
【図２】
0003120226.tif 000004
【図３】
0003120226.tif 000005
【手続補正書】
【提出日】平成17年12月19日(2005.12.19)
【手続補正１】
【補正対象書類名】実用新案登録請求の範囲
【補正対象項目名】全文
【補正方法】変更
【補正の内容】
【実用新案登録請求の範囲】
【請求項１】
箱型ケースの前面３カ所にボールの幅、高さに応じ、ボール通過溝をもつ事を特徴とする収納ネット付きテニスボールケース。
【請求項２】
ケース本体にハンドルを有する事を特徴とする請求項１記載の収納ネット付きテニスボールケース。